(57)【特許請求の範囲】
【請求項１】
連続するウェブを該ウェブの受け入れに適合する機械の入り口部分と整列するための装置であり、該入り口部分は機械中心線を有し、該ウェブはウェブ幅、長手方向中心線、第一面及び第二面を有し、該装置は次を含有する：
（ａ）ウェブ供給源構造体から該機械の該入り口部分に向かって伸長する該ウェブと交差して位置し、使用時に該ウェブの該第一面で、少なくとも部分的に巻かれることに適合している送り込みガイド外側面を包含する送り込みガイド；
（ｂ）該送り込みガイドから該機械の該入り口部分に向かって伸長する該ウェブと交差して位置し、使用時に該ウェブの該第二面で、少なくとも部分的に巻かれることに適合しているセンタリングガイド凹部分を有するセンタリングガイド；及び
（ｃ）組み合わせガイド第一面、
組み合わせガイド第一面に近接して配置される組み合わせガイド第二面、及び
該組み合わせガイド第二面にほぼ平行であり、該ウェブの該長手方向中心線に対し３０°から６０°までの角度をなす第一軸を包含し、該組み合わせガイド第二面に近接して配置される少なくとも一つの第一ロールを包含し、
該組み合わせガイド第一面及び該組み合わせガイド第二面は、該センタリングガイドから該機械の該入り口部分まで伸長するウェブ通路を有する該ウェブと交差して位置し、該組み合わせガイド第一面は該ウェブの該第一面で、少なくとも部分的に巻かれる組み合わせガイド、を備える装置。
【請求項２】
該組み合わせガイド第二面に近接して配置され、該組み合わせガイド第二面にほぼ平行であって、該第一ロールの該第一軸と６０°から１２０°までの角度を形成している第二軸を有する第二ロールを更に包含する請求項１に記載の装置。
【請求項３】
該送り出しガイドは、該第一ロールと該組み合わせガイド第二面の間の間隙を置くための手段を更に包含する請求項１に記載の装置。
【請求項４】
該送り出しガイドは、該第一ロールを該ウェブのより厚い部分に従わせる手段を更に包含する請求項１に記載の装置。
【請求項５】
該ウェブ供給源構造体に配置される該ウェブの該長手方向中心線は、該機械中心線と整合していない請求項１に記載の装置。
【請求項６】
該ウェブ供給源構造体は該ウェブ幅より大きい幅を有する請求項５に記載の装置。
【請求項７】
該ウェブ供給源構造体は、横巻きロールまたは花綱状収納コンテナから選択される請求項５に記載の装置。
【発明の詳細な説明】
【０００１】
（発明の分野）
本発明はウェブ取り扱い方式に関し、特にロールまたは箱或いは他のウェブ貯蔵手段からそのウェブを原材料として利用する機械の入り口部分まで連続ウェブを送るための装置及び方法に関する。更に詳細には、本発明は、ウェブ層の少なくとも数層が互いに整合せず、偏るまたは横方向に重なってウェブ幅より広いウェブ貯蔵手段の幅を形成するロールまたは箱或いは他のウェブ貯蔵手段からの連続するウェブを、変換ラインの入り口部分まで整合するための装置及び方法に関する。
【０００２】
（発明の背景）
おむつ、衛生ナプキンなどのような使い捨て吸収製品の製造では、プラスチックフィルムウェブ及び不織布ウェブのような原材料を、ウェブの層がコアの回転軸に実質的に垂直にコアに巻きつけられる垂直巻きロールの形体で変換ラインに供給することが従来の慣例であった。従って垂直巻きロールは、ほぼ完全に整列した状態のウェブを提供する。これらのウェブの垂直巻きロールから変換ラインへの送り込みには、制御したウェブ速度及び引っ張りでウェブをロールから巻き戻すために当該技術分野においてほぼ使用される、ある型の巻き戻し装置を必要とすることが多い。しかし、変換ラインで使用される現代の原材料は、垂直巻きロールに巻くことに適さない可能性があるので、多くの場合、従来の手段では送ることができない。
【０００３】
現代の原材料は従来のウェブよりも複雑で、従来のウェブに組み込まれた種々の製品要素を含有する可能性がある。例えば、使い捨て吸収性物品のための現代の原材料には、締着テープ、サイドパネル、カフ、コア構成成分、ウエストストリップ及び／または支持ウェブに取り付けられたその他の製品要素が包含される可能性がある。現代の原材料にもまた、例えば、エンボス加工、セルフィング（同一化）、切り込みなど、ウェブの厚さ及び／または表面材質に影響を及ぼすウェブ表面の種々の修正が含まれる可能性がある。更に現代の原材料は、例えば穿孔、溝など種々のもろいラインを含み、変換中２次的に、もろいラインに沿ってウェブが別々の部分に破れる、及び／または消費者がもろいラインに沿って完成品を裂くことが起こり得る。また現代の原材料は、変換ラインでの工程操作の数を維持または減少させるために、離れた変換ラインで事前製作されることが多く、生産費及び新しい製品の品質向上のための費用が増加する可能性がある。
【０００４】
このような現代の原材料に関する複雑さ故に、事前製作した材料は、従来のウェブより相当厚く、及び／または不均一な厚さ、形状及び強度特性を有する可能性がある。事前製作した材料の厚さ及び／または材質は、巻き取りロールの内側にほぼ見られる可能性のある圧縮力を受けやすく、その材料に取り返しのつかない損傷を与えるかもしれない。更に事前製作した材料中に存在し得るもろいラインは、その材料が、不適切な時にもろいラインに沿って裂けることがあるような引っ張りを受けやすい可能性がある。これらの問題は事前製作した材料をロールに巻き取るのを、特に垂直巻き取りロールに巻き取るのを、より不適切にし得る。損傷を与える可能性のある力には、ロールに巻く材料の長さを制限することにより低減または制御することができるものがあるが（より大きいロールは通常より大きい圧縮力を持つので）、このような低減は変換ライン上でのロール交換とロール交換の間の時間も縮めるであろう。その結果、変換ラインに材料を中断なく供給する事に伴う経費は増加することになるであろう。
【０００５】
垂直ロール巻きの一代替案は、ロールの横巻きであり、この巻き方ではウェブを回転軸に垂直に巻くのではなく、ウェブ幅より幅広いウェブ供給源構造体を形成するロールの幅を横切る層で巻き付ける。各連続する層は、前の層の巻きの横方向と反対の方向で、前の層の上に巻きつけてもよい。材料の回転は互いに横方向に偏るまたは横方向に重なってもよい。横巻きロールは、同一ウェブ長を保持する垂直巻きロールに比べ、ロール上のウェブの外径が減少した状態で所望のウェブ長を提供できるので、上記の否定的側面の多くは回避することができる。しかし、横巻きロール上のウェブはコア軸に対し垂直に整列していないので、コアと変換ラインの入り口部分の間に伸長する一直線のウェブ通路の中に巻き出されない。その代わりウェブは、変換機の入り口部分と整合しないウェブ通路を形成するコアを横切って横方向に巻き戻す。ウェブの調整不良の程度によって、ウェブを整合するための従来の手段の使用は妨げられるかもしれない。
【０００６】
垂直巻きの他の代替案は、コンテナの中へ花綱状に収納することである。例えば、連続するウェブをコンテナ内で前後に折り畳んでもよい。ある場合では、折り目がウェブ幅より幅広いウェブ供給源構造体を形成するコンテナの幅に沿って横方向に偏るようにウェブを花綱状に収納することは、最も経済的または実用的であるかもしれない。横巻きロールにおけるウェブの回転同様に、花綱状の重畳は、互いに横方向に空間を置いて離してもよく、または横方向に重ねてもよい。しかし垂直巻きまたは横巻きのいずれかのロール巻き取りウェブとは反対に、花綱状のウェブはほとんどまたは全く引っ張りを受けない可能性がある。花綱状態のこの特徴により、花綱状態は巻きロール中に存在し得る過度の圧縮力及び／または過度の引っ張りを受けやすいウェブの貯蔵に好適になり得る。
【０００７】
花綱状態はまた、ロール交換の間に自動的に継ぐことが困難であるウェブに有益であるかもしれない。第一の花綱状収納コンテナからのウェブの末端部を第二の花綱状収納コンテナからのウェブの先端部に取りつけることにより、花綱状態はウェブを手で継ぐことを可能にする。これらのコンテナは互いに近接して配置することができる。
【０００８】
しかし、幅広のコンテナの中で横方向に配置した花綱状ウェブには問題がある可能性がある。一つの問題は、横巻きロールについて上述したように、変換機の入り口部分に向かう花綱状収納コンテナに存在するウェブ通路間で、相対的に重大な調整不良の可能性がある。他の問題は、ほとんどまたは全く引っ張りを持たない花綱状のウェブに関する可能性があり、変換ラインの入り口部分と整合するのにウェブを扱いやすくするために、ウェブの中に引っ張り力の導入を必要とする可能性がある。
【０００９】
従って、ウェブ幅より幅広のウェブ供給源構造体に貯蔵されるウェブを変換ラインの入り口部分と整合するための装置及び方法を提供することは望ましいことであろう。ウェブ層の少なくとも数層が互いに横方向に偏るまたは横方向に重なるウェブ供給源構造体に貯蔵されるウェブを変換ラインの入り口部分と整合するための装置及び方法を提供することも、また望ましいことであろう。ウェブが圧縮力をほとんど受けないウェブ供給源構造体に貯蔵されるウェブを、変換ラインの入り口部分と整合するための装置及び方法を提供することも、また望ましいことであろう。ウェブが引張りをほとんどまたは全く受けないウェブ供給源構造体に貯蔵されるウェブを変換ラインの入り口部分と整合するための装置及び方法を提供することも、また望ましいことであろう。
【００１０】
（発明の概要）
本発明は、ウェブを受け入れることに適合した機械の入り口部分と連続するウェブを整合するための装置及び方法を提供する。入り口部分は機械中心線を有し、ウェブはウェブ幅、長手方向中心線、第一面及び第二面を有する。この装置は、ウェブ供給源構造体から機械の入り口部分に向かって伸長するウェブと交差して位置する送り込みガイド外側面を有する送り込みガイドを包含する。送り込みガイド外側面は使用時、第一面により少なくとも部分的に巻かれる。この装置は更に、送り込みガイドから機械の入り口部分に向かって伸長するウェブと交差して位置するセンタリングガイド凹部分を有するセンタリングガイドを包含する。このセンタリングガイド凹部分は使用時、ウェブの第二面により、少なくとも部分的に巻かれる。この装置は更に、センタリングガイドから機械の入り口部分に向かって伸長するウェブと交差して位置する送り出しガイド凹部分を有する送り出しガイドを包含する。送り出しガイド凹部分は使用時、ウェブの第一面により少なくとも部分的に巻かれる。
【００１１】
（発明の詳細な説明）
この発明は、ウェブ層の少なくとも数層が変換機の入り口部分と整合していないロール、コンテナまたはその他のウェブ供給源構造体からの連続するウェブを変換機の入り口部分と整合するための装置及び方法に関する。更に詳しくは、本発明の装置は、従来のウェブより相当厚く、及び／または不均一な厚さを有し、及び／または過度の圧縮力及び／または引っ張りを受けやすい、事前処理した材料からなる連続するウェブを加工するために有用である。このような場合、ウェブ供給源構造体は、しばしばウェブ幅より広い幅を有する。このようなウェブ供給源構造体の例には、図１に示す横巻きロール５及び図２に示す花綱状態１０が含まれる。
【００１２】
図１の横巻きロール５では、ウェブ幅２０、長手方向中心線１０５、第一面２１及び第二面２２を有するウェブ１５を、コア３５の回りに巻き付け、互いに横方向に偏るまたは横方向に重なる可能性のあるウェブの回転４０を備える層２５を形成してもよい。各層２５の回転４０は、偏る、重なるまたは上記のいずれかの規則的なまたは不規則な組み合わせであり得ることも特記すべきであろう。次の各層２５は、前の層と反対の向きにロールを横断して巻き付けてもよく、このようにして層２５の交差する形体５０を形成する。横巻きロール５の幅４５は、コア３５上のウェブ１５の横方向の配置の幅により画定される。従って横巻きロールの幅４５は、ウェブ幅２０よりも大きい可能性がある。
【００１３】
図２を参照すると、花綱状態１０は、ウェブ幅２０、長手方向中心線１０５、第一面２１及び第二面２２を有するウェブ１５を前後に折ってコンテナ５５の中に入れることにより形成することができる。折り目６０の間のウェブ１５の長さは、花綱状態形成幅７０を形成するためにコンテナ幅６５の中で少なくとも部分的に横方向に間隔を置くことを含むいずれかの様式で規定してもよい。図１の横巻きロール５の回転４０と同様に、花綱状態１０の折り目６０の間のウェブ１５の長さは互いに横方向に偏る若しくは横方向に重なることができるか、またはいずれか規則的な若しくは不規則な形で置くことができる。従って、花綱状態形成幅７０は、ウェブ幅２０より幅広であってよい。
【００１４】
図３から５は、花綱状収納コンテナ５５と連動する、本発明の装置１００の一実施態様の側面図、正面図及び斜視図をそれぞれ示す。図６は、横巻きロール５と連動する装置１００を示す。両方の場合において装置１００は、ウェブ１５の長手方向中心線１０５を入り口部分１１５の機械中心線１１０と整合する。ウェブ１５は、例えばプラスチックフィルム、不織布基材、スクリム、発泡体、ゴム、金属箔または他の材料を別個、若しくは組み合わせた、いずれかの連続するウェブであってよい。例えば図３から５に示すように、ウェブ１５はウェブ１６及び１７、並びにウェブ１５の向かい合う長手方向の縁１９に近接して配置されるより厚い部分１８（例えば、締着テープまたは他の製品要素）を備える積層体材料であってよい。使い捨て吸収性物品の生産に関するある実施態様では、ウェブ１５の幅は約０．５インチ（１２．７ｍｍ）から約１５インチ（３８１ｍｍ）までの範囲にあってよい。本発明をより良く説明するための例として本明細書で使用する特定の一実施態様では、ウェブ１５の幅は約６インチ（１５２ｍｍ）であってよい。
【００１５】
ウェブ１５は花綱状収納コンテナ５５から、または互いに種々の様式で配列されてよいコンテナ５５の配列から引き出される。並んだ配列で示される二つの花綱状収納コンテナ５５の配列の一例は、図４と５に示す入り口部分１１５を横切る。この場合、ウェブ１５の両端が図２に示すように露出しているので、第一コンテナのウェブ１５を人の手で容易に第二コンテナからのウェブに継ぐことができる。このように、巻きロールよりもむしろ花綱状収納カートンを利用することは、ウェブ材料の不断ない供給を確実に供給するために、終了したロールを新しいロールと換えるために必要な自動継ぎ能力を備える経費を省くことができる。
ウェブ１５は、入り口部分１１５を通過してウェブ１５を引っ張るために、変換機上で適合し得る、当該分野で使用される例えば二ップまたはいずれかの計量装置のような、ウェブを引っ張ることができるいずれかの装置により、花綱状収納コンテナ５５または横巻きロール５から排出することができる。入り口部分１１５の前にウェブ１５は、ウェブ１５に適当な引っ張り及び調整効果をもたらすために、コンテナ５５と入り口部分１１５の間に伸長するウェブ通路１３５と交差して配置される一連のガイド１２０、１２５及び１３０を通過して導かれる。
【００１６】
送り込みガイド１２０は、花綱状収納コンテナ５５（図３から５に示すように）または横巻きロール５（図６に示すように）に近接して配置してもよく、送り込みガイド１２０に入る前にほとんどまたは全く引っ張りを受けない可能性のあるウェブ１５を受け入れるように設計される。送り込みガイド１２０は、花綱状態１０のウェブ１５の折り目６０にほぼ平行に、または横巻きロール５の回転軸６にほぼ平行に配置するのが好ましい。ウェブ１５の第一面２１は、ウェブ１５が送り込みガイド１２０を通過する時、第一面２１と送り込みガイド外側面１４５の間に摩擦力を作り送り込み出すガイド外側面１４５の周りに、好ましくは巻き付ける。摩擦力は変換機の入り口の中にウェブ１５を引っ張る力に抵抗し、それにより入り口部分から離れた方向に引っ張り力を作る。引っ張り力は、ウェブ１５の取り扱いに有用であろう。
【００１７】
送り込みガイド外側面１４５は、ウェブ１５と共に所望の摩擦力を作り得るいずれかの好適な面であってよく、この送り込み外側面１４５は種々のプラスチック、金属、プラスチック若しくは金属コーティングまたはその組み合わせを含有してもよい。更に、送り込みガイド外側面１４５は滑らかであってよく、または種々の凸凹、または別個に若しくは組み合わせて、物理的、化学的、電気的に付与された他の表面修正を包含してもよい。送り込みガイド外側面１４５はまた、ウェブ１５と送り込みガイド外側面１４５の間に負の及び／または正の圧力を作るための孔及び／またはスリットを包含してもよい。更に送り込みガイド外側面１４５は、円、三角、四角または他の多面形を含むがこれらに画定されないいずれかの形状である横断面を持ってよい。
【００１８】
送り込みガイド１２０の長さは、ウェブ供給源構造体の幅の向かい側からウェブ１５を受け入れるために好適にほぼ配置されるいずれかの長さであってよい。更に送り込みガイド１２０のいずれかの部分は中空または中実であってよく、送り込みガイド１２０を、いずれか好適な手段により好適なフレームに取り付けてもよい。代表的な一実施態様では、図３から６に示すように、送り込みガイド１２０は長さ約６８インチ（１７２７ｍｍ）で６インチ（１５２ｍｍ）ＰＶＣパイプを具備してもよい。
【００１９】
本発明の装置１００はまた、送り込みガイド１２０を通過後ウェブ１５を受け入れ、ウェブ１５の長手方向中心線１０５と入り口部分１１５の機械中心線１１０の間に一列整列を提供するように設計されたセンタリングガイド１２５（図３から６に示す）もまた、好ましくは包含する。センタリングガイド１２５の少なくとも一部分は、センタリングガイド凹部分１５０を有する。センタリングガイド１２５の位置は、送り込みガイド１２０に関して変えることができ、センタリングガイド凹部分１５０がウェブ１５の第二面２２により少なくとも部分的に巻かれ、変換ラインの入り口部分１１５に向かってウェブ１５を導くよう作用する限り、ウェブ通路１３５の中のどこでも可能になる。図３から６に示すように、センタリングガイド１２５は、機械中心線１１０の垂直突出物１１４（図４に最良に示す）と交差して配置されることが好ましく、その結果センタリングガイド凹部分１５０と機械中心線１１０の垂直突出物１１４との交差点１１２でセンタリングガイド凹部分１５０の接線１１１は垂直突出物１１４に垂直である。
【００２０】
センタリングガイド凹部分１５０の構成は全てのまたはいずれかの態様において、上述した送り込みガイド外側面１４５に類似してもよい。送り込みガイド外側面１４５のように、ウェブ１５の第２面２２とセンタリングガイド凹部分１５０との間で作られた摩擦力は、送り込みガイド１２０とセンタリングガイド１２５の間で伸長するウェブ１５において引っ張り力を作るために有用である可能性がある。更にセンタリングガイド１２５のいずれの部分も中空または中実であってよく、いずれか好適な手段によりセンタリングガイド１２５を好適なフレームに取り付けてもよいことを特記する必要がある。図３から６に示す実施態様では、ウェブ幅が約６インチ（１５２ｍｍ）である時、約７００ｍｍから約１０００ｍｍまでの、また好ましくは約８５０ｍｍの半径Ｒ１で凹部分１５０を有する５インチ（１２７ｍｍ）のＰＶＣパイプから作られたセンタリングガイド１２５がうまく働くことが判明した。半径Ｒ１はウェブ幅に対する割合で表すこともできる。例えば約１５２ｍｍのウェブ幅に対して、半径Ｒ１は、ウェブ幅の約４６０％から約６６０％までであってよく、ウェブ幅の約５６０％が好ましい。
【００２１】
本発明の装置１００は、ウェブ１５の長手方向中心線１０５と入り口部分１１５の機械中心線１１０の間に整列を更に提供するために、センタリングガイド１２５を通過後にウェブ１５を受け入れるように設計された送り出しガイド１３０も好ましくは包含する。センタリングガイド１２５と同様に、送り出しガイド１３０は送り出しガイド凹部分１６０を包含する。センタリングガイド１２５と送り出しガイド１３０の間で伸長するウェブ１５に引っ張り力を作り得て、送り出しガイド凹部分１６０と第一面２１の間の摩擦力を作るために、ウェブ１５の第一面２１を送り出しガイド凹部分１６０の周りに好ましくは巻き付ける。送り出しガイド１３０の位置は、センタリングガイド１２５及び変換機の入り口部分１１５に関して垂直に変えることができる。好ましい一実施態様では、図３から６に示すように、送り出しガイド１３０は、機械中心線１１０の垂直突出物１１４（図４に最良に示す）と交差して配置され、その結果送り出しガイド凹部分１６０と機械中心線１１０の垂直突出物１１４との交差点１７５で送り出しガイド凹部分１６０への接線１７０は、垂直突出物１１４に垂直である。送り出しガイド１３０は、全てのまたはいずれかの態様において上述したセンタリングガイド１２５に類似してもよい。
【００２２】
本発明の他の実施態様は図７から１０に示す装置２００である。装置１００のガイド１２０、１２５及び１３０に加えて、装置２００は、ウェブ１５をセンタリングガイド１２５と整合させるための送り込みガイド１２０及びセンタリング前ガイド２１８の後のウェブ１５のねじれを防ぐために安定化ガイド２０５を追加的に包含する。従って、（図３から６の）装置１００より信頼できるウェブ１５の整列を提供するのが望ましい時、装置２００を使用することが有利であってよい。安定化ガイド２０５の少なくとも一部分は、安定化ガイド凸部分２１５を有する。ウェブ１５の第二面２２は、ウェブ１５と安定化ガイド凸部分２１５の間に摩擦力を作る安定化ガイド凸部分２１５の周りに好ましくは巻きつける。安定化ガイド２０５の位置は、送り込みガイド１２０に関して変えることができ、安定化ガイド凸部分２１５がウェブ１５の第二面２２により少なくとも部分的に巻き付けられ、変換ラインの入り口部分１１５に向かってウェブ１５を導くよう作用するかぎり、ウェブ通路１３５の中のどこでも可能である。好ましくは、図９に示すように、安定化ガイド２０５は、機械中心線１１０の垂直突出物１１４と交差して配置され、その結果安定化ガイド凸部分２１５と機械中心線１１０の垂直突出部１１４との交差点２１２で安定化ガイド凸部分２１５への接線２１０は、垂直突出部１１４に垂直である。
【００２３】
安定化ガイド凸部分２１５の構成は、全てのまたはいずれかの態様において上述した送り込みガイド外側面１４５の構成に類似してもよい。更に、安定化ガイド２０５のいずれの部分も中空または中実であってよく、安定化ガイド２０５はいずれか好適な手段によりフレームまたは他のガイドに取りつけることができることを特記しておく必要がある。図７から１０に示す実施態様２００において、ウェブ幅が約６インチ（１５２ｍｍ）である時、好適な安定化ガイド２０５は、約４５００ｍｍから約５０００ｍｍまでの、好ましくは約４７５０ｍｍの半径Ｒ２で凸部分２１５を有する５インチ（１２７ｍｍ）のＰＶＣパイプを備えてもよいことが判明した。半径Ｒ２は、ウェブ幅に対する割合で表すこともできる。例えば、約１５２ｍｍのウェブ幅に対して、半径Ｒ２はウェブ幅の約２９６０％から約３２９０％まで、好ましくはウェブ幅の約３１２５％であってよい。
【００２４】
図７から１０を参照すると、装置２００は、センタリング前ガイド凹部分２２０を有するセンタリング前ガイド２１８を包含してもよい。センタリング前ガイド２１８の位置は安定化ガイド２０５に関して変えることができ、センタリング前ガイド凹部分２２０がウェブ１５の第一面２１により巻き付けられ、ウェブ１５を変換ラインの入り口部分１１５に向かって導くよう作用する限り、ウェブ通路１３５のどこであってもよい。好ましくは、図８に示すように、センタリング前ガイド２１８は、機械中心線１１０の垂直突出物１１４と交差して配置され、その結果センタリング前ガイド凹部分２２０と機械中心線１１０の垂直突出物１１４との交差点２６２でのセンタリング前ガイド凹部分２２０への接線２６１は、垂直突出物１１４に垂直である。
【００２５】
センタリング前ガイド凹部分２２０の構成は、全てのまたはいずれかの態様において、上述した送り込みガイド外側面１４５の構成と類似してもよい。更に、センタリング前ガイド２１８のいずれの部分も中空または中実であってよく、センタリング前ガイド２１８はいずれか好適な手段によりフレームまたは他のガイドに取り付けることができることを特記しておく必要がある。図７から１０に示す実施態様では、ウェブ幅が６インチ（１５２ｍｍ）の時、好適なセンタリング前ガイド２１８は約２６００ｍｍから約３１００ｍｍまで、好ましくは約２８５０ｍｍの半径Ｒ３で凹部分２２０を有する５インチ（１２７ｍｍ）ＰＶＣパイプを備えてもよいことが判明した。半径Ｒ３はまた、ウェブ幅に対する割合で表されてもよい。例えば、約１５２ｍｍのウェブ幅に対し、半径Ｒ３は、ウェブ幅の約１７１０％から約２０４０％まで、好ましくはウェブ幅の約１８７５％である。
【００２６】
更なる本発明他の実施態様は、図１１から１２に示す装置３００である。装置３００は、前記実施態様のいずれかに類似してもよいが、送り込みガイド１２０に巻き付く前のウェブ１５のねじれが起こるのを防ぐための補助ガイド３０５を更に含む。補助ガイド３０５は送り込みガイド１２０にほぼ平行に配置され、補助ガイド３０５と送り込みガイド１２０の間にウェブ１５を受け入れるための物理的な間隙３１０を作る。補助ガイドは全てのまたはいずれかの態様において、それぞれ装置１００及び２００のための図３から６及び７から１０に示す送り込みガイド１２０に類似してもよく、従って送り込みガイド１２０に関する上記内容の全てを、本明細書では補助ガイド３０５に関して繰り返す。間隙３１０は、ウェブ厚さの９０％から５００％までの間の及び／またはウェブ幅の１％から１００％まで間のいずれかの寸法であってよい。図１１から１２に示す実施態様３００では、ウェブ幅が約６インチ（１５２ｍｍ）で、ウェブのより厚い部分のウェブ厚さが約２ｍｍである時、間隔３１０は約２ｍｍから１０ｍｍまでの範囲、好ましくは５ｍｍであってよいことが判明した。他のいずれかのガイドと同様に、補助ガイド３０５は、いずれか好適な手段により好適なフレームまたは他のガイドに取り付けることができる。
【００２７】
更なる本発明他の実施態様を図１３から１４に示す。装置４００は、装置４００のガイド１２０及び１２５を包含することにおいて装置１００（図３から６の）に類似している。しかし、装置４００は、装置１００の送り出しガイド１３０を包含せず、二つの異なる面の組み合わせを有する組み合わせガイド４０５を包含することにおいて装置１００とは異なる。図１５から１６に関し、組み合わせガイド４０５は、組み合わせガイド第一面４１０及び組み合わせガイド第二面４１５を包含してもよい。
【００２８】
組み合わせガイド面４１０と４１５は両方とも、組み合わせガイド４０５と特定のウェブの間に所望の摩擦力を作るために好適な種々の型の面を包含してもよいことに注意する。組み合わせガイド面４１０及び４１５の両方の構成は、全てのまたはいずれかの態様において、図３から６に示し、上述した送り込みガイド外側面１４０の構成に類似して得る。。図１５から１６に示す実施態様では、ウェブ幅が約６インチ（１５２ｍｍ）の時、好適な組み合わせガイド第一面は、約５０ｍｍから３００ｍｍまでの、また好ましくは１５５ｍｍの半径Ｒ４の円筒形の面を備えてよく、また好適な組み合わせガイド第二面は、組み合わせガイド第一面４１０に取り付けてよいプレート４２０の形状で、平面を備えてもよいことが判明した。組み合わせガイド第二面４１５は、組み合わせガイド４０５の別個の部分であってよく、または組み合わせガイド４０５の一体型の、または単一個の、意匠に組み込んでよいことに注意する必要がある。
【００２９】
組み合わせガイド４０５は、組み合わせガイド第二面４１５に近接し、実質的に平行に配置される少なくとも一つのロール４３０を更に備えてもよい。ロール４３０は、好適な寸法及び重量のいずれか好適なロールであってよく、また回転してもまたは回転しなくてもよい。ロール４３０はまた、ウェブ１５と組み合わせガイド第二面４１５の間に好適な抵抗力または摩擦力を提供することができるいずれかの好適な形状を有するいずれかの好適な面であってもよい。図１５から１６は、ウェブ１５の長手方向中心線１０５に対して角度Ａで配置される二つのロール４３０を示す。角度Ａは、好ましくは約３０°と約６０°の間、更に好ましくは約４５°である。ロール４３０の好ましい一実施態様は図１７に示され、ここではロール４３０がホルダ５００のばね搭載位置で保持される。ロール４３０は、好ましくは、ピン５２５（図１８に最良に示す）に旋回するように接続されたシャフト５２０の軸５１５の周りで軸受け５１０の上で回転することができる軽量シリンダ５０５を包含する低慣性アイドラーロールを包含し、それによりシャフト５２０は、ホルダ５００の伸長した穴５３０の中で移動可能である。ばね５４０は、シャフト５２０と取り付けねじ５４５の間で圧縮した状態で取りつけてよく、それによりシリンダ５０５が、シリンダ５０５と組み合わせガイド第二面４１５の間を通過するウェブ１５のより厚い部分１８に従うことを可能にする。ウェブ１５はこうして組み合わせガイド第二面４１５に押し付けられ、送り出しガイド４０５から変換機の入り口部分１１５まで伸長するウェブ１５に引っ張り力を提供する。
【００３０】
いずれの場合においても、ロール４３０は、取り付けねじ５５０（図１７に示す）をシャフト５２０に対して調整することにより、組み合わせガイド第二面４１５の間でいずれか所望の間隙で配置してもよい。更にロール４３０は、ウェブ１５に整形機能を提供するために、軸５１５間で約６０°から約１２０°まで、好ましくは約９０°であってよい、いずれか好適な角度Ｂ（図１６に示す）で配置してもよい。角度Ａ及びＢは、例えば、ホルダ５６０をブラケット５６５に関して調整するための旋回軸点を提供する可能性があるねじ５７０及び５７５及びピン５８０を包含する、いずれか好適な手段により調整してもよい。組み合わせガイド４０５の位置は、組み合わせガイド第一面４１０がウェブ１５の第一面２１により少なくとも部分的に巻き付けられ、また組み合わせガイド第二面４１５がウェブ１５の第一面２１に面している限り、センタリングガイド１２５と入り口部分１１５の間のウェブ通路１３５上のどこにでも存在し得る。更に、少なくとも一つのロール４３０はウェブ１５の第二面２２に面し、組み合わせガイド４０５はウェブ１５を変換ラインの入り口部分１１５に向かって導くように好ましくは作用する。組み合わせガイド４０５のいずれの部分も中空または中実であってよく、組み合わせガイド４０５はいずれか好適な手段によりフレームまたは他のガイドに取り付けることができることも特記する必要がある。
【００３１】
本発明の特定の実施態様及び／または個別の機構を例示し記述しているが、本発明の趣旨と範囲から逸脱することなく様々な変化と変形が可能であることは、当該技術分野において周知であると考える。さらに、このような実施態様及び機構の全ての組み合わせが可能であること、またこれにより本発明を好ましく実施できることも明らかである。従って、付随するクレームは、本発明の範囲内にある全てのこのような変化と変形を包括するように企図したものである。
【図面の簡単な説明】
【図１】  横巻きロールに巻き付けたウェブの簡略化した斜視図である。
【図２】  コンテナ内のウェブの花綱状態を簡略化した斜視図である。
【図３】  三つのガイド及び花綱状収納コンテナを示す、本発明の一実施態様の簡略化した側面立面図である。
【図４】  図３に示す実施態様の簡略化した正面立面図である。
【図５】  図３から４に示す実施態様の簡略化した斜視図である。
【図６】  横巻きロールを示す、図３から５の実施態様の簡略化した側面立面図である。
【図７】  五つのガイドを示す、本発明の他の実施態様の簡略化した側面立面図である。
【図８】  図７に示す実施態様の簡略化した正面立面図である。
【図９】  図７に示す安定化ガイドの部分平面図である。
【図１０】  図７から９に示す実施態様の簡略化した斜視図である。
【図１１】  ６つのガイドを示す、本発明の他の実施態様の簡略化した側面立面図である。
【図１２】  図１１に示す実施態様の簡略化した斜視図である。
【図１３】  組み合わせガイドを示す、本発明の他の実施態様の簡略化した側面立面図である。
【図１４】  図１３に示す実施態様の簡略化した斜視図である。
【図１５】  図１３から１４に示す実施態様の組み合わせガイドの簡略化した拡大平面図である。
【図１６】  後ろから見た、図１５に示す組み合わせガイドの簡略化した拡大斜視図である。
【図１７】  図１５から１６に示すロールの簡略化した拡大横断面である。
【図１８】  図１７に示すピンを通して見たホルダの拡大横断面である。
【図１】
0004813000.tif 000002
【図２】
0004813000.tif 000003
【図３】
0004813000.tif 000004
【図４】
0004813000.tif 000005
【図５】
0004813000.tif 000006
【図６】
0004813000.tif 000007
【図７】
0004813000.tif 000008
【図９】
0004813000.tif 000009
【図８】
0004813000.tif 000010
【図１０】
0004813000.tif 000011
【図１１】
0004813000.tif 000012
【図１２】
0004813000.tif 000013
【図１３】
0004813000.tif 000014
【図１４】
0004813000.tif 000015
【図１５】
0004813000.tif 000016
【図１６】
0004813000.tif 000017
【図１７】
0004813000.tif 000018
【図１８】
0004813000.tif 000019